(57)【要約】      （修正有）【課題】ラインに対して移動可能な誘導型の錘において、ラインを切断することなく、錘や付属品を交換可能とする誘導錘を提供する。【解決手段】重心よりも水中へ没した際には上に位置することとなる挿通孔を備えることでライン１０に対して移動可能な誘導型の錘２０であり、挿通孔へ挿入して着脱自在とするフィン部材を備える。挿通孔は、その長手方向に沿って錘が水中にある場合に水面側となる外表面へ達する溝であるフィン用スリット２２を備える。フィン部材は、挿通孔へ挿入してフィン部材を固定するパイプ部３１と、そのパイプ部の長手方向に沿って外表面へ達する溝であるライン用スリット３２と、そのライン用スリットとは長手方向に垂直な断面において反対側に位置し、フィン用スリットへ挿入するフィン３３と、を備える。【選択図】図３
0003188883.tif 000002
【実用新案登録請求の範囲】
【請求項１】
重心よりも水中へ没した際には上に位置することとなる挿通孔を備えることでラインに対して移動可能な誘導型の錘であって、
その錘の挿通孔へ挿入して着脱自在とするフィン部材を備え、
前記の挿通孔は、その長手方向に沿って錘が水中にある場合に水面側となる外表面へ達する溝であるフィン用スリットを備え、
前記のフィン部材は、前記の挿通孔へ挿入してフィン部材を固定するパイプ部と、そのパイプ部の長手方向に沿って外表面へ達する溝であるライン用スリットと、そのライン用スリットとは長手方向に垂直な断面において反対側へ位置することで前記のフィン用スリットへ挿入するフィンと、を備えた誘導錘。
【請求項２】
前記パイプ部の長手方向寸法は、前記の挿通孔の長手方向寸法よりもわずかに長く形成した請求項１に記載の誘導錘。
【請求項３】
前記の錘の挿通孔は、テーパをなし、
前記のフィン部材におけるパイプ部は、テーパをなした挿通孔へ挿入可能であるとともに抜けにくくするためのストッパを備えた請求項１または請求項２のいずれかに記載の誘導錘。
【請求項４】
前記の錘における挿通孔へ挿入して装着した場合に、前記のフィン部材におけるライン用スリットの幅がゼロとなるように形成した請求項１から請求項３のいずれかに記載の誘導錘。
【考案の詳細な説明】
【技術分野】
【０００１】
本考案は、釣り糸を挿通させて用いる釣り用錘に関する。
【背景技術】
【０００２】
釣り用の錘は、ラインを直接結ぶことによって所定位置へ固定するタイプと、挿通（挿入して通させる）させるための孔を備えることでラインに対して移動可能な誘導タイプとがある。後者は、近年増えてきている。
前者においては、ラインを切断せずに錘までも交換したい、というニーズがある。そして、そのニーズに応える技術も提供されてきた。
【０００３】
さて、前述した誘導タイプの錘については、特許文献１に開示された技術がある。この技術は、出入口にセラミック製のリングをはめ込む、という技術が開示されている。
また、浮きにおいては、ラインを切断せずに交換が可能な浮きとして、特許文献２，３に開示された技術がある。
【先行技術文献】
【特許文献】
【０００４】
【特許文献１】実用新案登録３１８６８５３号公報
【特許文献２】特開２００１−３２１０４８号公報
【特許文献３】特開２０１３−２２０１０１号公報
【考案の概要】
【考案が解決しようとする課題】
【０００５】
錘は、魚を引っ掛けるための釣り針、釣り針にさした活き餌または釣り針と組み合わせた疑似餌、錘や釣り針を目立たなくするための疑似餌、などと組み合わせて用いる。
釣り場の変化、対象魚の変更など、状況に応じて疑似餌や釣り針を変更したり、錘を変更したりすることがある。この変更作業を簡易化したいというニーズは潜在している。特に、ラインを切断することなく変更可能とすることができるような錘は、誘導型の錘であっても望まれている。
【０００６】
しかし、ラインを切断せずに交換が可能な浮きの技術をそのまま錘に適用することはできない。
本考案が解決しようとする課題は、誘導タイプの錘に対して、ラインを切断せずに錘や付属品を変更可能な技術を提供することにある。
【課題を解決するための手段】
【０００７】
（第一の考案）
第一の考案は、重心よりも水中へ没した際には上に位置することとなる挿通孔(21)を備えることでライン(10)に対して移動可能な誘導型の錘(20)に係る。
その錘(20)の挿通孔(21)へ挿入して着脱自在とするフィン部材(30)を備え、  前記の挿通孔(21)は、その長手方向に沿って錘(20)が水中にある場合に水面側となる外表面へ達する溝であるフィン用スリット(22)を備える。
前記のフィン部材(30)は、前記の挿通孔(21)へ挿入してフィン部材(30)を固定するパイプ部(31)と、そのパイプ部(31)の長手方向に沿って外表面へ達する溝であるライン用スリット(32)と、そのライン用スリット(32)とは長手方向に垂直な断面において反対側へ位置することで前記のフィン用スリット(22)へ挿入するフィン(33)と、を備える。
【０００８】
「フィン(33)」は、水中で錘(20)がライン(10)に沿って移動する場合にライン(10)が接するパイプ部(31)の部位をライン用スリット(32)から遠ざけられるように、挿通孔(21)とパイプ部(31)との相対的な位置を決定する役割を果たす。したがって、フィン用スリット(22)から錘(20)の外表面へ突出するような形状（図４、図５参照）のみならず、フィン用スリット(22)へはまり込むだけの形状をなすフィン（図３参照）であってもよい。
上記の趣旨から、「フィン(33)」が「ライン用スリット(32)とは長手方向に垂直な断面において反対側へ位置する」とは、フィン(33)が真上を向いている場合に、長手方向に垂直な断面においてライン用スリット(32)は、真下であることがベストであるものの、下半分へ位置していればよい。
【０００９】
（作用）
最初に、組み立て手順を説明する。
フィン部材(30)におけるパイプ部(31)のライン用スリット(32)を用いて、フィン部材(30)に対してライン(10)を挿通させる。そして、錘(20)における挿通孔(21)に対して、ライン(10)を挿通させたフィン部材(30)のパイプ部(31)を挿入する。パイプ部(31)が弾性変形させることが可能な場合、ライン用スリット(32)がパイプ部(31)の外径を一時的に縮める役割を果たす。またフィン(33)は、フィン用スリット(22)へ挿入することとなる（図２（ａ）、図３（ｃ）参照）。
パイプ部(31)のライン用スリット(32)は、フィン用スリット(22)と反対側へ位置する（図３参照）。水中へ没した際には、挿通孔(21)が重心よりも上に位置し、ライン用スリット(32)は下へ位置する。
したがって、ライン(10)はパイプ部(31)の上部分へ接するので、ライン(10)がライン用スリット(32)にて傷つけられるおそれが少ない。また、ライン(10)が本願考案に係る誘導型の錘(20)から抜けてしまうことがない。
【００１０】
錘(20)を交換したい場合、まず、フィン部材(30)のパイプ部(31)を錘(20)における挿通孔(21)から引き抜く。次に、フィン用スリット(22)からライン(10)を引き抜く。すると、ライン(10)、錘(20)、フィン部材(30)は、それぞれ独立する。したがって、ライン(10)を切らなくても、錘(20)の交換が可能である。
フィン部材(30)を交換したい場合も同様である。
【００１１】
（第一の考案のバリエーション１）
第一の考案における前記パイプ部(31)の長手方向寸法は、前記の挿通孔(21)の長手方向寸法よりもわずかに長く形成してもよい。
【００１２】
（作用）
パイプ部(31)を挿通したライン(10)は、誘導錘(20)を形成する素材と直接接触しない。それによって、ライン(10)が傷つくことを避けられる。
【００１３】
（第一の考案のバリエーション２）
第一の考案は、以下のように形成してもよい。
すなわち、  前記の錘(20)の挿通孔(21)は、テーパをなし、  前記のフィン部材(30)におけるパイプ部(31)は、テーパをなした挿通孔(21)へ挿入可能であるとともに抜けにくくするためのストッパ(36)を備えてもよい。
【００１４】
（作用）
フィン部材(30)の着脱作業をする釣り人は、ストッパ(36)の存在によってすべき作業が見た目に分かりやすい。すなわち、フィン部材(30)におけるストッパ(36)の無い方から挿通孔(21)へ挿入すればよい、ということが一目瞭然である。
【００１５】
（第一の考案のバリエーション３）
第一の考案は、以下のように形成してもよい。
すなわち、前記の錘(20)における挿通孔(21)へ前記のフィン部材(30)を挿入して装着した場合に、前記のフィン部材(30)におけるライン用スリット(32)の幅がゼロとなるように形成してもよい。
【００１６】
（作用）
パイプ部(31)におけるライン(10)がライン用スリット(32)へ接触するような事態が発生しても、ライン用スリット(32)の幅がゼロとなっているので、パイプ部(31)の内面は円滑であり、ライン(10)が傷つくことを避けられる。
【考案の効果】
【００１７】
第一の考案によれば、誘導タイプの錘に対して、ラインを切断せずに錘やフィン部材を変更可能な技術を提供することができた。
【図面の簡単な説明】
【００１８】
【図１】本願考案の実施形態を示す斜視図である。
【図２】本願考案の実施形態を示す組み立て斜視図および主要部の断面図である。
【図３】本願考案の実施形態の主要部を示す斜視図および断面図である。
【図４】本願考案の実施形態におけるフィン部材を示す組み立て斜視図である。
【図５】本願考案の実施形態に用いるフィン部材のバリエーションを示す斜視図である。
【図６】本願考案の実施形態における正面図、断面図、組み立て断面図を示す。
【図７】本願考案の実施形態における組み立て断面図を示す。
【図８】本願考案の実施形態および従来技術を用いた場合の錘落下の比較概念図である。
【図９】本願考案の実施形態に用いるフィン部材のバリエーションを示す斜視図である。
【図１０】本願考案の実施形態に用いるフィン部材のバリエーションを示す正面図、端面図である。
【考案を実施するための形態】
【００１９】
本願考案を実施形態および図面に基づいて、更に説明する。ここで使用する図は、図１から図１０である。
【００２０】
図１に示すように、本実施形態は、ライン１０を挿通させることによって錘が移動できる誘導錘２０に関する。誘導錘２０は、上下方向を非対称形とすることによって水中で上に位置する部位、下に位置する部位を決めていることが一般的である。
ライン１０には、疑似餌１１やその疑似餌１１に隠される釣り針などが取り付けられている。更に、誘導錘２０は比重の大きな金属を採用しており、錘自身が水中を移動する際に変化をつけるため、熱可塑性樹脂製のフィン部材３０を固定している。
【００２１】
図２では、フィン部材３０を誘導錘２０へ取り付ける様子を示している。
本実施形態に係る誘導錘２０は、重心よりも上に位置する挿通孔２１を備える。また、誘導錘２０を水中に没した状態において、前記の挿通孔２１を垂直に切る断面を想定した場合、真上となる空間と連通させるためのフィン用スリット２２を備える。このフィン用スリット２２の幅は、図２（ｂ）にて図示するように「Ｔ」とする。
【００２２】
フィン部材３０は、誘導錘２０の挿通孔２１へ挿入して固定するものの、誘導錘２０に対して着脱自在な部材である。
フィン部材３０は、前記の挿通孔２１へ挿入してフィン部材３０を固定するパイプ部３１と、そのパイプ部３１の長手方向に沿って外表面へ達する溝であるライン用スリット３２と、そのライン用スリット３２とは長手方向に垂直な断面において反対側へ位置することで前記のフィン用スリット２２へ挿入するフィン３３と、を備える。このフィン３３の厚さは、前述の「Ｔ」よりもわずかに小さい。
【００２３】
誘導錘２０の挿通孔２１は断面が円形、フィン部材３０のパイプ部３１も断面が円形である。挿通孔２１の内径とパイプ部３１の外径との差Ｈは、極めてわずかである。パイプ部３１が釣り人の指の力で弾性変形させることが可能な素材であれば、ライン用スリット３２の幅を縮めることで、パイプ部３１の外径を縮めることができ、挿通孔２１への挿入操作が容易となる。
パイプ部３１の長手方向寸法は、挿通孔２１の長手方向寸法よりもわずかに長い。誘導錘２０を形成する素材へライン１０を直接接触させないためである。
【００２４】
フィン３３の最低限の機能としては、ライン用スリット３２の位置決めである。すなわち、フィン３３はフィン用スリット２２へはまりこむことで、ライン１０に沿って移動する水中へ没した誘導錘２０が、ライン用スリット３２と接しないように、最も遠い位置（図２（ｂ）における真下）へ位置決めをすることとなる。水中では挿通孔２１が重心よりも上に位置し、ライン用スリット(32)は下へ位置する。ライン１０がライン用スリット３２に接しながら誘導錘２０が移動すると、ライン１０を傷つけることとなるからである。
【００２５】
たとえば、図２に示すフィン３３は誘導錘２０の外表面へ突出するが、図３に示すフィン３３は、誘導錘２０の外表面へ突出せず、フィン用スリット２２の内部へ収まる。
なお、フィン３３の形状は、誘導錘２０の動きに変化を与えるため、様々な形状があり得る。図５（ａ）に示すように図２などで示したフィン３３よりも前後方向の寸法が大きな尾翼形３３Ａ、図５（ｂ）に示すようにライン１０の方向を移動する場合に抵抗となるような羽部分を持つ飛行機主翼形３３Ｂ、図５（ｃ）にしめすように片側だけ抵抗が大きくなるような乱流抑制形３３Ｃ、などである。
【００２６】
図３では、ライン１０を切らずに、誘導錘２０またはフィン部材３０を交換可能であることをも示している。すなわち、図３（ａ）に示すように、ライン用スリット３２を用いてライン１０は、フィン部材３０を挿通させることができる。当然、挿通していたライン１０を取り出すこともできる。
ライン１０がフィン部材３０を挿通させた状態で、図２（ａ）に示したような動作をすれば、誘導錘２０をライン１０が挿通することとなる。逆の動作をすれば、ライン１０が挿通した誘導錘２０からライン１０を切らずに離すことができる。
【００２７】
図４および図５は、フィン部材３０のパイプ部３１を共通化するものの、フィン３３の種類を複数揃える場合について示している。ただし、釣り人がパイプ部３１からフィン３３を取り外したり、交換できるようにしたりするものではない。
パイプ部３１におけるライン用スリット３２の反対側には、挿入孔３５を備え、その挿入孔３５へ挿入して固定可能な差し込み片３４をフィン３３に備えている。
【００２８】
図６および図７は、ライン１０を挿通させたフィン部材３０、フィン部材３０を挿入固定した誘導錘２０のそれぞれの関係を断面にて示している。
【００２９】
図８（ａ）は、紙面の左から水の流れがある場合、本実施形態におけるフィン部材３０を装着した誘導錘２０が水中でどのように動くかを示している。図８（ｂ）は、同じ状態で、フィン部材のない従来の誘導錘２０が水中でどのように動くかを示している。
換言すれば、水流との関係で、誘導錘２０の動きに変化をつけたい場合に、図５に示したようなフィン３３の形状を選択すればよいこととなる。フィン３３を変更する場合、前述したようにライン１０を切断する必要はない。
【００３０】
図９および図１０に示すのは、フィン部材３０と挿通孔２１とのバリエーションである。
図９に示すフィン部材３０は、パイプ部３１を先細り形状とするとともに、太い側の端部には、段差付きのストッパ３６を備えている。
図１０に示すように、挿通孔２１は、前記のストッパ３６に対応する入り口部分の内径をＤ２、反対側の内径をＤ１とすると、Ｄ２＞Ｄ１となるテーパ形状となっている。
【００３１】
フィン部材３０におけるストッパ３６の無い方から、誘導錘２０の挿通孔２１へ挿入すればよい、ということが一目瞭然なので、フィン部材３０の着脱作業をする釣り人は、ストッパ３６の存在によってすべき作業が見た目に分かりやすい。
【産業上の利用可能性】
【００３２】
本考案は、釣り具の製造業、釣り具のレンタル業、アウトドアスポーツのインストラクター事業などにおいて、利用可能性を有する。
【符号の説明】
【００３３】
１０；  ライン（釣り糸）        １１；  疑似餌（ネクタイ）
２０；  誘導錘                  ２１；  挿通孔
２２；  フィン用スリット
３０；  フィン部材              ３１；  パイプ部
３２；  ライン用スリット
３３、３３Ａ，３３Ｂ，３３Ｃ；フィン
３４；  差し込み片              ３５；  挿入孔
３６；  ストッパ
【図１】
0003188883.tif 000003
【図２】
0003188883.tif 000004
【図３】
0003188883.tif 000005
【図４】
0003188883.tif 000006
【図５】
0003188883.tif 000007
【図６】
0003188883.tif 000008
【図７】
0003188883.tif 000009
【図８】
0003188883.tif 000010
【図９】
0003188883.tif 000011
【図１０】
0003188883.tif 000012